(57)【特許請求の範囲】
【請求項１】
流れ発生器と、
空気を前記流れ発生器から患者インターフェースまで供給する空気供給導管と、
前記流れ発生器における圧力を測定する圧力センサと、
前記流れ発生器からの流量を測定する流量センサと、
連続する呼吸サイクルの間に前記患者インターフェースにおいて望ましい圧力で前記空気供給導管を通して空気を発生するように流れ発生器を動作させるように構成されたコントローラと、
を備え、
前記呼吸サイクルは吸気段階と呼気段階とを含み、
前記コントローラは、
前記圧力センサによって圧力の測定値を決定し、
前記流量センサによって流量の測定値を決定し、
マスク圧力の推定値を決定し、
流量の変化率を計算し、
圧力推定誤差値を前記流量の変化率の関数として計算し、
前記マスク圧力の推定値および前記圧力推定誤差値に基づいて、マスク圧力の揺れを減少させるために前記患者インターフェースにおける圧力を調整するように前記流れ発生器を制御する、ＣＰＡＰ装置。
【請求項２】
前記コントローラは、前記計算された流量の変化率の値、前記流量の密度、前記空気供給導管の長さおよび前記空気供給導管の断面積の関数として前記圧力推定誤差値を計算するように構成されている、請求項１に記載の装置。
【請求項３】
前記圧力推定誤差値（ΔＰ）がΔＰ＝（ρｌ／Ａ）ｄＱ／ｄｔによって計算され、前式でρは流量の密度であり、ｌは前記空気供給導管の長さであり、Ａは前記空気供給導管の断面積であり、ｄＱ／ｄｔは前記流量の変化率である、請求項２に記載の装置。
【請求項４】
前記コントローラは、計算された流量の変化率が正負のいずれであるかに基づいて流量の変化率の変換値を設定するように構成されている、請求項１〜３のいずれか一項に記載の装置。
【請求項５】
前記計算された流量の変化率の値が負である場合には、前記流量の変化率の変換値は第一の所定の値に設定される、請求項４に記載の装置。
【請求項６】
前記第一の所定の値がゼロである、請求項５に記載の装置。
【請求項７】
前記計算された流量の変化率の値が正である場合には、前記流量の変化率の変換値は計算された流量の変化率に設定される、請求項４に記載の装置。
【請求項８】
前記計算された流量の変化率が正であり、かつ第二の所定の値よりも大きい場合には、前記流量の変化率の変換値は、前記第二の所定の値に設定される、請求項１〜７のいずれか一項に記載の装置。
【請求項９】
前記第二の所定の値が１Ｌ／Ｓ＾２より大きい、請求項８に記載の装置。
【請求項１０】
前記第二の所定の値が約２．５Ｌ／Ｓ＾２である、請求項８に記載の装置。
【請求項１１】
前記コントローラは、前記圧力の測定値および前記空気供給導管における推定された圧力損失に基づいてマスク圧力の推定値を決定するように構成されている、請求項１〜１０のいずれか一項に記載の装置。
【請求項１２】
前記空気供給導管における前記圧力損失（Ｐ降下）が、Ｐ降下＝Ｋ１Ｑ＾２＋Ｋ２Ｑ＋ＫＬｄＱ／ｄｔにより推定され、前式でＱは前記空気供給導管を通過する流量であり、Ｋ１およびＫ２は経験的に求められた定数であり、ＫＬは分析的に求められたフローイナータンスであり、ｄＱ／ｄｔは流量の変化率である、請求項１１に記載の装置。
【請求項１３】
前記コントローラは、さらに前記呼気段階から前記吸気段階への遷移を検出し、マスク圧力の揺れを防ぐために、前記呼気段階から前記吸気段階への遷移の検出にのみ基づいて前記圧力推定誤差値を計算して前記患者インターフェースにおける圧力を減少させるように構成されている、請求項１〜３のいずれか一項に記載の装置。
【発明の詳細な説明】
【技術分野】
【０００１】
本発明は、睡眠呼吸障害を治療するために一定量の空気を陽圧で患者に供給する方法及び装置に関する。本発明は患者回路のモデル精度を向上させる方法に関する。１つの事例では、本発明は、呼吸サイクル全体を通じて供給された圧力の精度を向上させる方法及び装置に関する。本発明の別の事例は、開放性無呼吸及び閉鎖性無呼吸を測定するアルゴリズムを使用する際に応用されるものである。本発明は、患者回路の動的特徴を推定しなければならない全てのアルゴリズムに応用可能である。
【発明の背景】
【０００２】
Ａ．陽圧ＣＰＡＰ装置の概要
米国特許第４９４４３１０号明細書に教示された「閉塞性睡眠時無呼吸（ＯＳＡ）及び他の形態の睡眠呼吸障害（ＳＤＢ）を治療する経鼻式持続的気道陽圧法（経鼻式ＣＰＡＰ）」というサリバン（Ｓｕｌｌｉｖａｎ）による発明以来、装置を使用してレスメド社（ＲｅｓＭｅｄ  Ｌｉｍｉｔｅｄ）製のＭＩＲＡＧＥ（登録商標）及びＵＬＴＲＡ  ＭＩＲＡＧＥ（登録商標）のようなマスクに供給された圧力を制御することによって患者の快適さを高めることに多大な努力が注がれてきた。
【０００３】
レスメド社製のＳ７（商標）及びＳ８（商標）のような、幾つかのＣＰＡＰ送風器装置が、患者の呼吸サイクル全体を通じて一定の陽圧、例えば、１５ｃｍＨ２Ｏで、ある一定量の空気を供給する。電気モータ及び扇風器を具備する送風器が、マスクのような患者インターフェースに特定の圧力を供給するために構成されうる。患者が、このようなシステムを使って息を吸うとき、マスク内の圧力が僅かな量だけ低下しうる。患者が、このようなシステムを使って息を吐くとき、マスク内の圧力は僅かな量だけ上昇しうる。マスク圧力におけるこれらの変動は、「揺れ」と呼ばれる。幾つかの送風器は、この揺れを低減するために、マスク圧力に対する患者の労作の影響を打ち消すフィードバックを圧力コントローラで利用する。これらの装置は、マスク圧力及び流量を測定及び監視して、マスク圧力を一定値に維持するように流れ発生器制御を調節する必要がある。
【０００４】
Ｂ．精確なマスク圧力測定の必要性
これらの装置の各々に必要とされるものは、患者インターフェースにおいて圧力及び流量を測定する方法である。マスクにおける圧力及び流量を精確に測定するために、これらをマスクにおいて測定するか又はこれらを圧力発生器の近傍で測定し、且つ様々な要因を補正するが、これらの要因の１つが、圧力センサとマスクとの間のある一定の長さの管系内部における圧力損失である。
【０００５】
ｉ．管系内部における損失による圧力補正
ＣＰＡＰ装置の管系内部における圧力損失を論じた米国特許は、「Ａｄｍｉｎｉｓｔｒａｔｉｏｎ  Ｏｆ  ＣＰＡＰ  Ｔｒｅａｔｍｅｎｔ  Ｐｒｅｓｓｕｒｅ  Ｉｎ  Ｐｒｅｓｅｎｃｅ  Ｏｆ  Ａｐｎｅａ」と題する同第６８１７３６１号明細書、「Ａｓｓｉｓｔｅｄ  Ｖｅｎｔｉｌａｔｉｏｎ  Ｔｏ  Ｍａｔｃｈ  Ｐａｔｉｅｎｔ  Ｒｅｓｐｉｒａｔｏｒｙ  Ｎｅｅｄ」と題する同第６８１０ｌ８７６号明細書、「Ｍｅｔｈｏｄｓ  Ａｎｄ  Ａｐｐａｒａｔｕｓ  Ｆｏｒ  Ｄｅｔｅｒｍｉｎｉｎｇ  Ｉｎｓｔａｎｔａｎｅｏｕｓ  Ｅｌａｓｔｉｃ  Ｒｅｃｏｉｌ  Ａｎｄ  Ａｓｓｉｓｔａｎｃｅ  Ｐｒｅｓｓｕｒｅ  Ｄｕｒｉｎｇ  Ｖｅｎｔｉｌａｔｏｒｙ  Ｓｕｐｐｏｒｔ」と題する同第６６８８３０７号明細書、「Ｄｅｔｅｒｍｉｎａｔｉｏｎ  Ｏｆ  Ｐａｔｅｎｃｙ  Ｏｆ  Ｔｈｅ  Ａｉｒｗａｙ」と題する同第６６７５７９７号明細書、「Ｍｅｔｈｏｄ  Ｆｏｒ  Ｃａｌｃｕｌａｔｉｎｇ  Ｔｈｅ  Ｉｎｓｔａｎｔａｎｅｏｕｓ  Ｉｎｓｐｉｒｅｄ  Ｖｏｌｕｍｅ  Ｏｆ  Ａ  Ｓｕｂｊｅｃｔ  Ｄｕｒｉｎｇ  Ｖｅｎｔｉｌａｔｏｒｙ  Ａｓｓｉｓｔａｎｃｅ」と題する同第６５７５１６３号明細書、「Ａｓｓｉｓｔｅｄ  Ｖｅｎｔｉｌａｔｉｏｎ  Ｔｏ  Ｍａｔｃｈ  Ｐａｔｉｅｎｔ  Ｒｅｓｐｉｒａｔｏｒｙ  Ｎｅｅｄ」と題する同第６５３２９５７号明細書、「Ａｄｍｉｎｉｓｔｒａｔｉｏｎ  Ｏｆ  ＣＰＡＰ  Ｔｒｅａｔｍｅｎｔ  Ｐｒｅｓｓｕｒｅ  Ｉｎ  Ｐｒｅｓｅｎｃｅ  Ｏｆ  ＡＰＮＥＡ」と題する同第６５０２５７２号明細書、「Ｍｅｔｈｏｄ  Ｆｏｒ  Ｐｒｏｖｉｄｉｎｇ  Ｖｅｎｔｉｌａｔｏｒｙ  Ａｓｓｉｓｔａｎｃｅ  Ｉｎ  Ａ  Ｓｐｏｎｔａｎｅｏｕｓｌｙ  Ｂｒｅａｔｈｉｎｇ  Ｓｕｂｊｅｃｔ」と題する同第６４８４７１９号明細書、「Ａｄｍｉｎｉｓｔｒａｔｉｏｎ  Ｏｆ  ＣＰＡＰ  Ｔｒｅａｔｍｅｎｔ  Ｐｒｅｓｓｕｒｅ  Ｉｎ  Ｐｒｅｓｅｎｃｅ  Ｏｆ  ＡＰＮＥＡ」と題する同第６３６７４７４号明細書、「Ａｐｐａｒａｔｕｓ  Ａｎｄ  Ｍｅｔｈｏｄ  Ｆｏｒ  Ｃｏｎｔｒｏｌｌｉｎｇ  Ｔｈｅ  Ａｄｍｉｎｉｓｔｒａｔｉｏｎ  Ｏｆ  ＣＰＡＰ  Ｔｒｅａｔｍｅｎｔ」と題する同第６３６３９３３号明細書、「Ｄｅｔｅｒｍｉｎａｔｉｏｎ  Ｏｆ  Ｔｈｅ  Ｏｃｃｕｒｒｅｎｃｅ  Ｏｆ  Ａｎ  Ａｐｎｅａ」と題する同第６１３８６７５号明細書、「Ｄｅｔｅｒｍｉｎａｔｉｏｎ  Ｏｆ  Ｐａｔｅｎｃｙ  Ｏｆ  Ａｉｒｗａｙ」と題する同第６０２９６６５号明細書、「Ｄｅｔｅｃｔｉｏｎ  Ｏｆ  Ａｐｎｅａ  Ａｎｄ  Ｏｂｓｔｒｕｃｔｉｏｎ  Ｏｆ  Ｔｈｅ  Ａｉｒｗａｙ  ｉｎ  Ｔｈｅ  Ｒｅｓｐｉｒａｔｏｒｙ  Ｓｙｓｔｅｍ」と題する同第５７０４３４５号明細書、及び「Ｃｏｎｔｒｏｌ  Ｆｏｒ  ＣＰＡＰ  Ａｐｐａｒａｔｕｓ」と題する同第５５５１４１９号明細書である。
【０００６】
これらの特許は、空気圧発生器の近傍に流量及び圧力変換器を取り付け、次いで、管系を通過する流量と管系の圧力−流量特徴の知識（例えば、ルックアップ表による）とから、空気圧発生器からマスクまでの管系に沿った圧力損失を計算することによって、マスクにおける又はその近傍の空気流量及びマスク圧力の測定に対する別法を提案する。その場合に、マスクにおける圧力は、圧力発生器における圧力から管圧力降下を差し引くことによって計算される。
【０００７】
圧力測定点からマスクまでの圧力損失は、公式、即ち、
ΔＰ＝Ｒ＊Ｑ＾２
に従って、送風器における流量と、測定点からマスクまでの（二次の）抵抗とから計算されたが、上式で、ΔＰはホース圧力降下であり、Ｒはホース抵抗であり、且つＱは流量である。その場合に、マスク圧力は、測定されたセンサ圧力からホース圧力降下を差し引くことによって計算される。この技法を使用するためには、流量センサ、例えば、呼吸気流計及び差圧変換器が必要である。例えば、米国特許第６８１０８７６号明細書、１７欄２５〜５０行を参照されたい。
【０００８】
米国特許第５５５１４１９号明細書も、マスク内の空気圧が、基部ユニット筐体及び圧力発生器の内部圧力と供給ホース中の圧力降下との関数であることを認識する。それは、後者をホース通過流量の関数として説明し、マスクにおける圧力を精確に示す信号を生成するために圧力信号と流量信号とを組み合わせることが必要であると結論する。米国特許第５５５１４１９号明細書、５欄７〜１２行を参照されたい。
【０００９】
安定したマスク圧力を維持するために、圧力発生器において望ましい瞬間圧力を生成するように、管に沿った圧力降下がマスクにおける望ましい設定圧力に追加される。幾つかの事例では、圧力発生器のコントローラは、望ましい圧力がより精確に実現されるように、圧力変換器からの負のフィードバック入力を有する。例えば、米国特許第５７０４３４５号、８欄２６〜５５行を参照されたい。
【００１０】
ii．揺れを管理できないこと
患者の快適さのために管理されねばならない１つの重要な要因は、例の揺れである。例えば、ＲｅＳＭｅｄ  Ｓ８吸入及び呼吸治療装置では、特定の圧力安定要件が満たされることを保証するために、吸気相と呼気相との間の差圧、即ち、揺れは、独国ＭＤＳ仕様を満たすように０．５ｈＰａ（「ヘクトパスカル」）を超えてはならない。１ｈＰａ＝１．０４ｃｍＨ２Ｏ。吸気及び呼気の設定通気圧からの変動に関する許容限度は、
通気圧＜１０ｈＰａ：＊ｐ＜＝０．５ｈＰａ
通気圧＞＝１０ｈＰａ：＊ｐ＜＝１ｈＰａ
である。
【００１１】
圧力センサがマスクに存在しないとき、マスク圧力を測定する従来技術の技法は、揺れをこれらの要件と一致するように制御できなかった。必要とされることは、揺れのより適切な制御を実現するために、情報が圧力発生器にフィードバックされうるように、より精確にマスク圧力を測定することである。
【００１２】
iii．動的特性を予測できないこと
マスク圧力測定は又、他の治療及び制御関連アルゴリズムにおいても使用されうる。このような１つのアルゴリズムが、強制振動を使用する閉鎖性呼吸器無呼吸と開放性呼吸器無呼吸との区別である（例えば、デビッド  バシン（Ｄａｖｉｄ  Ｂａｓｓｉｎ）の「Ｄｉｓｃｒｉｍｉｎａｔｉｎｇ  Ｃｌｏｓｅｄ  ａｎｄ  Ｏｐｅｎ  Ｒｅｓｐｉｒａｔｏｒｙ  Ａｉｒｗａｙ  Ａｐｎｅａｓ  ｂｙ  Ｆｏｒｃｅｄ  Ｏｓｃｉｌｌａｔｉｏｎ  Ｍｅａｓｕｒｅｍｅｎｔｓ  ａｔ  ｔｈｅ  Ｆｌｏｗ  Ｇｅｎｅｒａｔｏｒ」、米国特許仮出
願第６０／８２３９７３号明細書）。このアルゴリズムは、マスク圧力及び流量の精確な
測定を必要とする。従来技術で提示されたホース降下モデルは、空気供給システムの動的特徴を精確にモデル化できず、したがってマスク圧力及び流量を精確にモデル化することができない。
【発明の概要】
【００１３】
Ａ．マスク圧力誤差の識別
流れ発生器の箇所における又はその近傍の流量及び圧力の測定値に基づくマスク圧力の推定値と、高品質の圧力変換器を使用してマスクにおいて精確に測定された真のマスク圧力との間に、従来技術のＣＰＡＰ装置では相違が存在することが突き止められている。この相違は、患者の呼吸及び強制振動によって引き起こされうるマスク圧力及び流量の変化時に著しい。
【００１４】
Ｂ．推定マスク圧力と流量導関数との間の関係
空気供給システムにおける推定圧力損失は下式、即ち、
【数１】
0005427877.tif 000002
のように、より適切にモデル化される。ここで、Ｑはホースを通過する流量であり、Ｋ１及びＫ２は経験的に求められた定数であり、且つＫＬは分析的に求められたフローイナータンスである。
【００１５】
強制振動（〜４Ｈｚ）時のようなより高い周波数変化の事例では、このモデルは、圧力損失を遙かにより精確にモデル化する。
【００１６】
圧力及び流量振動が複素数として表され、且つ動作点付近で線形化される場合、圧力振動は、下式、即ち、
【数２】
0005427877.tif 000003
として計算されうる。
【００１７】
上式で、
【数３】
0005427877.tif 000004
は平均流量であり、ωは振動周波数であり、且つＱＡＣは複素数として表された流量振動である。
【００１８】
Ｃ．マスク圧力の揺れと流量導関数との間の関係
注意深い観察及び測定によって、予期しないことであったが、この相違は、流れ発生器の箇所において又はその近傍で測定された流量の導関数が正であるときに最も著しく、その箇所における流量の導関数が負であるときに僅かであることが測定された。さらには、流量の導関数ｄＱ／ｄｔが正であるとき、相違ΔＰは、時間に関して流量の導関数に比例することが判明した。即ち、
ΔＰ＝（ｋ）ｄＱ／ｄｔ
である。
【００１９】
ｉ．圧力イナータンスの経験的理解
この相違の大きさは、流動する空気の慣性の物理的効果に関連し、この効果は、差圧によって引き起こされた加速度の抵抗となることも判明した。空気の圧縮及び全ての熱力学的効果を無視すると、
ΔＰ＝（ρｌ／Ａ）ｄＱ／ｄｔ
である。ここで、ρは空気密度であり、ｌは管系の長さであり、Ａは管系の断面積であり、且つＱは時間の関数としての流量である。空気は圧縮可能であり、圧縮により温度変化を蒙るけれども、上記の公式は、正のｄＱ／ｄｔに関して観察されたデータに非常によく適合するが、それは、この効果が空気のイナータンスであることを示唆する。しかし、この公式は、それが何故に負の流量導関数に関しては同様の相違が存在しないかを説明しないので、経験的であると考えねばならない。
【００２０】
Ｄ．本発明の態様
本発明の一態様によれば、ＣＰＡＰ装置の流れ発生器における圧力の推定値に基づくマスク圧力の測定を向上させる方法及び装置が提供される。
【００２１】
本発明の別の態様によれば、揺れを予め設定された制限値の間に維持するように、呼気時の圧力を第１の水準から精確に第２の水準まで低減する、睡眠呼吸障害を治療するＣＰＡＰ装置が提供される。
【００２２】
本発明の別の態様によれば、送風器によって生成された圧力が閾値を超えるときにモータを惰性動作させることによって、及び揺れを予め設定された制限値の間に精確に維持するように圧力を調整することによって、送風器の電気モータによって生成された圧力を制御する方法が提供される。２００４年６月１８日に出願された、参照により本明細書に組み込まれる同時係属の米国特許出願第１０／８７１９７０号明細書を参照されたい。
【００２３】
本発明の別の態様では、第１の圧力水準は、流量の導関数が実行時に計算され、負にならないようにクリッピングされ、且つ所定の値によって上限が設定される自動的なアルゴリズムに従って決められる。制限の目的は、マスクにおける漏れの幾つかの悪影響を回避することである。
【本発明の詳細な説明】
【００２４】
Ａ．典型的な装置の説明
図１は本発明の実施形態に係る装置を示す。ブラシレス電気モータ１０にインペラ１２が取り付けられている。インペラ１２は、渦形室３６の中に位置する。モータ１０は、モータコントローラ２４（適切なコントローラにはＴＭＳ３２０ＬＣ２４０２又はＭＣ３３０３５ＩＣが含まれる）の制御下にある。モータは、モータの回転数及び電流をそれぞれ示す信号を供給するセンサ３２、３４を含む。モータの巻回が励磁されるとき、インペラは回転する。空気が、インペラの入口を介して引き込まれて運動量を獲得する。空気がインペラから流出して渦形室に流入するとき、その空気は速度が変化して圧力を発生する。空気が渦形室から流出し、流量及び圧力センサ２８、３０（ＳＭＩ５６５２−００３流量センサ及びＳＭＩ５６５２−００８又はＭＰＸ２０１０圧力センサのような）をそれぞれ通過して、空気供給導管１６（例えば、スムース−ボアプラスチックス社（Ｓｍｏｏｔｈ−ｂｏｒｅ  Ｐｌａｓｔｉｃｓ）製）に達し、次に、この導管は、例示された実施形態では、鼻マスク、例えば、レスメド社製のＭＩＲＡＧＥ（登録商標）又はＵＬＴＲＡ  ＭＩＲＡＧＥ（登録商標）マスクである患者インターフェース１８に連結される。患者インターフェースの他の形態、例えば、全顔マスク、鼻プロング、及び鼻クッションが使用されてもよい。
【００２５】
流量及び圧力センサ２８、３０は、データをマイクロコントローラ１４に供給する。適切なマイクロコントローラは、２〜２０ＭＨｚのクロックレート、８×１０ビットのＡ／Ｄ変換器、並びに多様な入力及び出力特性を有する３２ビットの縮小命令セットコンピューティング装置である日立（ＨＩＴＡＣＨ）ＳＨ７０３２／３４を含む。マイクロコントローラ１４は、アクセラレイテッド  テクノロジーズ社（Ａｃｃｅｌｅｒａｔｅｄ  Ｔｈｅｃｈｎｏｌｏｇｉｅｓ  Ｉｎｃｏｒｐｏｒａｔｅｄ）製のＮｕｃｌｅｕｓ  Ｐｌｕｓリアルタイムオペレーティングシステム（ＲＴＯＳ）を使用する。本発明の１つの形態では、本装置は所定のＣＰＡＰ圧力を供給するが、このような装置は、レスメド社製のＳ７  ＥＬＩＴＥである。本発明の別の形態では、マイクロコントローラ１４は、無呼吸及び呼吸器系の気道閉塞を検出する方法並びに装置を教示する米国特許第５７０４３４５号明細書（バーソン−ジョーンズ（Ｂｅｒｔｈｏｎ−Ｊｏｎｅｓ））に従ってＣＰＡＰ治療を施すようにプログラムされる。米国特許５７０４３４５号明細書の内容は、ここに相互参照によって組み込まれる。
【００２６】
本装置は、表示器２２、例えば、２ライン×１６キャラクタＬＣＤ又は同様の表示器装置を含む。本装置は、キーパッド２６、例えば、バックライト式シリコーンスイッチを使用するものを含む。本装置は又、スカイネット社（ＳＫＹＮＥＴ）製の絶縁等級ＩＩの２４Ｖで４０Ｗを供給する電源も含む。本装置は、外部装置との通信を可能とするインターフェース２０を含みうる。例えば、適切なインターフェースチップは、マキシム社（ＭＡＸＩＭ）からのＭＡＸ３１３０／ＭＡＸ３１３１である。これらのチップはＩｒＤＡ及びＲＳ−２３２通信の両方を行う。
【００２７】
レスメド社製のＳ７  ＥＬＩＴＥのようなＣＰＡＰ装置は、本発明を組み込むように適合されうる。一般に、本発明の実施形態に係るＣＰＡＰ装置のコントローラは、４から２５ｃｍＨ２Ｏまでの範囲内のＣＰＡＰ圧力を供給するようにプログラムされる。本装置の自動調節形態では、ＡｕｔｏＳｅｔ  ＳＰＩＲＩＴのように、及び上述の米国特許第５７０４３４５号明細書に教示されているように、ＣＰＡＰ装置は、鼾、無呼吸、又は流量平坦化によって示される気道の一部の又は完全な閉塞を克服若しくは防止するためにＣＰＡＰ圧力を増大するようにプログラムされる。
【００２８】
Ｂ．マスク圧力が流れ発生器推定値よりも降下する
図２は、流れ発生器の近傍に配置された図１の流量及び圧力センサ２８及び３０に基づいて従来技術によるマスク圧力の推定値と比較された、マスク中のハネウェル（Ｈｏｎｅｙｗｅｌｌ）圧力変換器で測定された実際のマスク圧力の典型的な比較を示す。この図で分かるように、流れ発生器のマスク圧力の推定値は、流量導関数が正である時間間隔ごとでは実際のマスク圧力を大幅に超過する。他方で、測定及び推定マスク圧力は、流量導関数が負である時間間隔では実質的に同一であることが理解されうる。
【００２９】
図４は、同じデータに基づいており、フローイナータンスを補正していない揺れを示す。この図で理解されうるように、「１分揺れ」として識別された曲線で示された揺れが、あらゆる箇所で０．５ｃｍＨ２Ｏ制限を上回っている。
【００３０】
図６は、フローイナータンスの補正、即ち、
ΔＰ＝（ρｌ／Ａ）ｄＱ／ｄｔ
が行われている揺れを示す。この図で理解されうるように、「１分揺れ」として示された揺れは、あらゆる箇所で０．５ｃｍＨ２Ｏ制限を下回っている。０．５ｃｍＨ２Ｏは、揺れに関する０．５ｈＰａ標準を満たすことに留意されたい。
【００３１】
フローイナータンスの補正は、以下の値を使って計算された。即ち、
ρ＝空気密度（１．１９ｋｇ／ｍ＾３）
ｌ＝長さ（２ｍ）
Ａ＝断面積（ｄ＝０．０１９ｍ）、［Ａ＝Πｄ＾２／４］
これらの値で、ｄＱ／ｄｔ＝１．６Ｌ／ｓ＾２、及びΔＰ＝１３．４３Ｐａ＝１．４ｍｍＨ２Ｏが得られる。
【００３２】
Ｃ．イナータンス公式に関する基本原理
使用された方程式に関して、流れ発生器がマスク圧力を増大させるように加速するとき、圧力の増大の結果として加速される空気質量の慣性の効果を含むべき理論的基本原理が伴う。この計算は、差圧下で流動する空気の質量の運動量の変化に基づいている。図３に示されているように、断面積Ａの管系の長さｌを占有する、密度ρの空気の質量を考えられたい。それは、密度掛ける容積によって与えられる質量ｍ、即ち、
ｍ＝ρｌＡ
を有する。この質量ｍは、
ｖ＝Ｑ／Ａ
によって流量Ｑに関連付けられる速度ｖで左側に流動している。質量ｍの運動量Γはｍｖであり、即ち、
Γ＝ρｌＱ
である。流れ発生器が質量の背後で圧力を増大させたことにより、質量ｍの両端に差圧ΔＰが存在する。これは質量に力ＡΔＰを及ぼし、この質量を加速してその運動量を増大させる。即ち、
ＡΔＰ＝ｄΓ／ｄｔ＝ρｌｄＱ／ｄｔ
ΔＰ＝（ρｌ／Ａ）ｄＱ／ｄｔ
である。
【００３３】
実際の測定から、流量導関数が正のとき、この公式は正確な値のみを与えることに本発明者は留意する。
【００３４】
Ｄ．イナータンス公式の実施態様
流量の導関数は、実行時の変換値として計算される。この変換値は、導関数の負の値に関してゼロに設定され、且つ導関数の正の最大値が切り捨てられることによって、導関数とは異なる。これが、図５では、計算された導関数のクランピングと呼ばれる。図５は、連続的なサンプリング時間で連続的なＱ値を差し引くことから測定された、ｄＱ／ｄｔの実際値からの変換値を示す。したがって、実際の導関数が負であれば、変換されたｄＱ／ｄｔは０であり、実際の導関数が２．５Ｌ／Ｓ＾２を超えれば、変換されたｄＱ／ｄｔは、この値２．５Ｌ／Ｓ＾２であり、そうでなければ、変換されたｄＱ／ｄｔは実際値に設定される。本出願は、２．５Ｌ／Ｓ＾２で変換されたｄＱ／ｄｔのクリッピングを説明するが、クリッピングは他の制限値でも行われうることが理解されるべきである。クリッピング制限は、例えば、マスクの取外し又は咳き込みによる流量の突発的な変化に対して補償するための安全又は保護機構である。使用に際して、クリッピングは１を超える任意の値でよい。
【００３５】
ｉ  圧力低減アルゴリズム
一般に、シーケンスは以下の段階を踏む。
（ｉ）吸気から呼気への移行を検出すると、より少ないエネルギーがモータに入力され、ｄＱ／ｄｔは負である。
（ii）呼気時に患者マスク（又はどんなインターフェースが利用されても）内の圧力が最低圧力水準に達するとき、その圧力を呼気に適切な水準に維持するように、より多くのエネルギーがモータに入力される。
（iii）呼気から吸気への移行を検出すると、圧力を制御するためにモータ電流が変更され、その結果として、モータ回転数が増大される。これは、流量の増大を引き起こし、ｄＱ／ｄｔは正である。ｄＱ／ｄｔが計算され、その変換された（クランピングされた）値によって置き換えられる。
（iv）マスク内の圧力に起因しうる値は、ΔＰ＝（ρｌ／Ａ）ｄＱ／ｄｔだけ減少するが、前式で、ρは空気密度であり、ｌは管系の長さであり、Ａは管系の断面積であり、Ｑは時間の関数としての流量であり、且つｄＱ／ｄｔは流量導関数の変換された（クランピングされた）値である。
【００３６】
本発明は特定の実施形態を参照して説明されたが、これらの実施形態は本発明の原理の応用を例示するものに過ぎないことが理解されるべきである。本発明の趣旨及び範囲から逸脱することなく、数多くの変更が本発明に実施されてもよく、且つ他の配置も考案されうる。
【図面の簡単な説明】
【００３７】
【図１】本発明の実施形態に係るＣＰＡＰ装置を示す。
【図２】イナータンス補正前における、実際のマスク圧力とマスク圧力の流れ発生器推定値との比較を示す。
【図３】非定流時における空気の柱の動きを模式的に示す。
【図４】フローイナータンスの補正を行わない揺れを示す。
【図５】流量の計算された導関数のクランピングを示す。
【図６】フローイナータンスの補正が行われた揺れを示す。
【図１】
0005427877.tif 000005
【図２】
0005427877.tif 000006
【図３】
0005427877.tif 000007
【図４】
0005427877.tif 000008
【図５】
0005427877.tif 000009
【図６】
0005427877.tif 000010